(57)【要約】      （修正有）【課題】構成部品が少なくて簡素な構造であるフェイスシールドを提供する。【解決手段】フェイスシールド１は、装着者がマスク２００を付けた状態でマスク２００のヒモ２２０を介して装着される。フェイスシールド１は、可撓性を有する樹脂板で形成され、湾曲した状態で装着者の顔１２０を覆うシールド本体を備える。シールド本体の左側及び右側のそれぞれに、マスク２００のヒモ２２０が挿通可能な貫通穴が設けられる。従って、構成部品が少なくて簡素な構造であるフェイスシールド１を提供することが可能となる。【選択図】図１
0003228110.tif 000002
【実用新案登録請求の範囲】
【請求項１】
装着者がマスクを付けた状態で当該マスクのヒモを介して装着されるフェイスシールドであって、
可撓性を有する樹脂板で形成され、湾曲した状態で前記装着者の顔を覆うシールド本体を備え、
前記シールド本体の左側及び右側のそれぞれに、
前記マスクのヒモが挿通可能な貫通穴が設けられる、
フェイスシールド。
【請求項２】
前記シールド本体の左側の貫通穴は、左右方向に並んで複数配置され、且つ、
前記シールド本体の右側の貫通穴は、左右方向に並んで複数配置される、
請求項１に記載のフェイスシールド。
【請求項３】
前記貫通穴は、
フェイスシールドの装着状態における上下方向に延びる貫通穴本体部と、
前記貫通穴本体部に連通する切込みと、を有する、
請求項１又は２に記載のフェイスシールド。
【請求項４】
前記貫通穴本体部は、上側に向かうに従って先細りして幅が狭くなる、
請求項３に記載のフェイスシールド。
【請求項５】
前記切込みは、
前記シールド本体の左右中央から遠ざかる方向に延びる第１部位と、
前記第１部位の先端から下側に向けて屈曲する第２部位と、を有する、
請求項３又は４に記載のフェイスシールド。
【考案の詳細な説明】
【技術分野】
【０００１】
本考案は、フェイスシールドに関する。
【背景技術】
【０００２】
装着者の顔を覆うフェイスシールドが公知である（例えば、特許文献１参照）。特許文献１のフェイスシールドは、ヘルメットに装着されるフェイスシールドであって、面状部材と、枠体と、第１シール部材と、第２シール部材と、カバー部材とを備える。面状部材は、装着者の顔に対向して配置される。
【先行技術文献】
【特許文献】
【０００３】
【特許文献１】特開２０１９−８５６６９号公報
【考案の概要】
【考案が解決しようとする課題】
【０００４】
しかしながら、特許文献１のフェイスシールドは、構成部品が多くて複雑な構造であるという問題があった。
【０００５】
本考案の目的は、構成部品が少なくて簡素な構造であるフェイスシールドを提供することである。
【課題を解決するための手段】
【０００６】
前述した課題を解決し、目的を達成するために、本考案の一態様は、装着者がマスクを付けた状態で当該マスクのヒモを介して装着されるフェイスシールドであって、可撓性を有する樹脂板で形成され、湾曲した状態で前記装着者の顔を覆うシールド本体を備え、前記シールド本体の左側及び右側のそれぞれに、前記マスクのヒモが挿通可能な貫通穴が設けられる。
【考案の効果】
【０００７】
本考案によれば、構成部品が少なくて簡素な構造であるフェイスシールドを提供することができる。
【図面の簡単な説明】
【０００８】
【図１】図１は、装着者が実施形態によるフェイスシールドを装着した状態を示す斜視図である
【図２】図２は、実施形態によるフェイスシールドを展開した状態を示す平面図であり、フェイスシールドを裏面から見た図である。
【図３】図３は、図２のＡ部を拡大した斜視図である。
【図４】図４は、フェイスシールドに設けられた第１貫通穴を拡大した平面図であり、フェイスシールドを裏面から見た図である。
【図５】図５は、図１のＶ−Ｖ線による断面図である。
【考案を実施するための形態】
【０００９】
本考案を実施するための実施形態について、図面を参照しつつ詳細に説明する。以下の実施形態に記載した内容により本考案が限定されるものではない。また、本考案の要旨を逸脱しない範囲で構成の種々の省略、置換又は変更を行うことができる。
【００１０】
図１は、装着者が実施形態によるフェイスシールドを装着した状態を示す斜視図である。
図１に示すように、装着者１００はマスク２００を付けており、このマスク２００のヒモ２２０にフェイスシールド１を取り付けている。即ち、フェイスシールド１は、装着者１００がマスク２００を付けた状態でマスク２００のヒモ２２０を介して装着され、フェイスシールド１によって、装着者１００の顔１２０が覆われる。
【００１１】
マスク２００は、矩形形状のマスク本体部２１０と、マスク本体部２１０に取り付けられたヒモ２２０とを備える。ヒモ２２０は、マスク本体部２１０の左側及び右側の双方に取り付けられている。具体的には、ヒモ２２０は、上側ヒモ２２１と下側ヒモ２２２とが繋がったＵ字形状を有する。マスク本体部２１０の側縁部の上部から上側ヒモ２２１が延び側縁部の下部から下側ヒモ２２２が延びて、上側ヒモ２２１と下側ヒモ２２２とが繋がっている。装着者１００の耳１１０にヒモ２２０を引っ掛けることにより、マスク２００を装着することができる。
【００１２】
図２は、実施形態によるフェイスシールドを展開した状態を示す平面図であり、フェイスシールドを裏面から見た図である。なお、図２以降において、Ｘ方向はフェイスシールド１を着用した状態での左右方向であり、Ｘ１はフェイスシールド１を着用した状態での左側、Ｘ２はフェイスシールド１を着用した状態での右側を示す。Ｙ方向はフェイスシールド１を着用した状態での上下方向であり、Ｙ１はフェイスシールド１を着用した状態での上側、Ｙ２はフェイスシールド１を着用した状態での下側を示す。Ｚ方向はフェイスシールド１を着用した状態での前後方向であり、Ｚ１はフェイスシールド１を着用した状態での着用者の顔から遠ざかる方向、Ｚ２はフェイスシールド１を着用した状態での着用者の顔に近づく方向を示す。
【００１３】
フェイスシールド１は、シールド本体２を備え、シールド本体２は可撓性を有する樹脂板で形成されている。シールド本体２は、平坦形状で透明である。図２に示すように、フェイスシールド１は、非装着時には平坦であり、装着時には、図１に示すように、顔１２０に沿って湾曲した状態となる。
【００１４】
シールド本体２の周縁は、上縁部２１と、側縁部２２、２３と、下縁部２４、２５と、中央凹部２６と、を有する。また、シールド本体２の周縁には、角部４１、４２、４３、４４、４５、４６が設けられる。上縁部２１は、シールド本体２の上縁であり、角部４１から角部４６まで延びる。側縁部２２は、シールド本体２の左側の側縁であり、角部４１から角部４２まで延びる。側縁部２３は、シールド本体２の右側の側縁であり、角部４６から角部４５まで延びる。下縁部２４は、シールド本体２の左側の下縁であり、角部４２から角部４３まで延びる。中央凹部２６は、上側（Ｙ１側）に凹んだＵ字形状を有し、角部４３から角部４４まで延びる。中央凹部２６は、フェイスシールド１の装着状態で、装着者１００の鼻の位置に配置される。
【００１５】
また、シールド本体２には、合計で４つの貫通穴３が設けられる。貫通穴３は、マスク２００のヒモ２２０が挿通可能である。貫通穴３は、第１貫通穴３１と、第２貫通穴３２と、第３貫通穴３３と、第４貫通穴３４と、を含む。第１貫通穴３１及び第２貫通穴３２は、左右中央Ｃに対して、左側（Ｘ１側）に配置され、第３貫通穴３３及び第４貫通穴３４は、左右中央Ｃに対して、右側（Ｘ２側）に配置される。第１貫通穴３１は、４つの貫通穴３のうち最も左側（Ｘ１側）に位置する。第２貫通穴３２は、第１貫通穴３１の右側（Ｘ２側）に隣接する。
【００１６】
即ち、第２貫通穴３２は、第１貫通穴３１よりも左右中央Ｃに近い。第４貫通穴３４は、４つの貫通穴３のうち最も右側（Ｘ２側）に位置する。第３貫通穴３３は、第４貫通穴３４の左側（Ｘ１側）に隣接する。即ち、第３貫通穴３２は、第４貫通穴３４よりも左右中央Ｃに近い。第２貫通穴３２と左右中央Ｃとの左右方向（Ｘ方向）に沿った距離は、第３貫通穴３３と左右中央Ｃとの左右方向（Ｘ方向）に沿った距離と同一である。第１貫通穴３１と左右中央Ｃとの左右方向（Ｘ方向）に沿った距離は、第４貫通穴３４と左右中央Ｃとの左右方向（Ｘ方向）に沿った距離と同一である。以上より、シールド本体２は、左右中央Ｃに対して左側部分と右側部分とは対称な形状である。
【００１７】
図３は、図２のＡ部を拡大した斜視図である。図４は、フェイスシールドに設けられた第１貫通穴を拡大した平面図であり、フェイスシールドを裏面から見た図である。
【００１８】
図２及び図３に示すように、貫通穴３は、貫通穴本体部３１１、３２１、３３１、３４１と、切込み３１２、３２２、３３２、３４２と、を有する。貫通穴本体部３１１、３２１、３３１、３４１は、フェイスシールド１の装着状態における上下方向（Ｙ方向）に延びる。切込み３１２、３２２、３３２、３４２は、貫通穴本体部３１１、３２１、３３１、３４１に連通して延びる。
【００１９】
貫通穴３の一例として第１貫通穴３１を例にとって詳細な形状を説明する。図４に示すように、第１貫通穴３１は、貫通穴本体部３１１と、切込み３１２と、を有する。
【００２０】
貫通穴本体部３１１の縁は、平面視で略三角形の形状を有し、角部３１１ｄ、３１１ｅ、３１１ｆが設けられる。具体的には、貫通穴本体部３１１の縁は、側縁３１１ａと、側縁３１１ｂと、底縁３１１ｃと、を有する。側縁３１１ａは、角部３１１ｄから角部３１１ｅまで直線状に延びる。側縁３１１ｂは、角部３１１ｄから角部３１１ｆまで直線状に延びる。側縁３１１ａと側縁３１１ｂのＸ方向の距離は貫通穴本体部３１１の幅である。側縁３１１ａと側縁３１１ｂとは上側（Ｙ１側）に行くに従って互いに近づく。即ち、貫通穴本体部３１１は、上方に向かうに従って先細りして幅が狭くなっている。底縁３１１ｃは、角部３１１ｅから角部３１１ｆまで左右方向（Ｘ方向）に沿って延びる。底縁３１１ｃは下側（Ｙ２側）に向けて凸状になだらかに湾曲している。
【００２１】
切込み３１２は、貫通穴本体部３１１に連通して左右方向（Ｘ方向）に沿って延びる。切込み３１２は、シールド本体２に鋏やナイフなどで切り込むことによって形成される。切込み３１２は、第１部位３１３と、第２部位３１４と、を有する。第１部位３１３は、貫通穴本体部３１１の角部３１１ｅから先端３１３ａまで直線状に延びる。第１部位３１３は、左右方向（Ｘ方向）のうち左側（Ｘ１側）に延びる。換言すると、第１部位３１３は、シールド本体２の左右中央Ｃから遠ざかる方向に延びる。第２部位３１４は、先端３１３ａから３１４ａまで下側（Ｙ２側）へ延びる。具体的には、第２部位３１４は、左側（Ｘ１側）に凸の半円形状である。即ち、第２部位３１４は、第１部位３１３の先端３１３ａから下側（Ｙ２側）に向けて屈曲する。
【００２２】
なお、第２貫通穴３２の形状は、第１貫通穴３１と同等の形状である。第３貫通穴３３及び第４貫通穴３４の形状は、左右中央Ｃを挟んで第１貫通穴３１と線対称の形状である。
【００２３】
次いで、図１及び図５を参照して、フェイスシールド１の装着状態を説明する。図５は、図１のＶ−Ｖ線による断面図である。
【００２４】
図１及び図５に示すように、マスク本体部２１０は、装着者１００の顔１２０の皮膚１２１の表面に接している。また、マスク本体部２１０の表側（Ｚ１側）にフェイスシールド１が重なっている。つまり、フェイスシールド１のシールド本体２の裏側（Ｚ２側）にマスク本体部２１０が配置されている。
【００２５】
ヒモ２００の上側ヒモ２２１は、図１に示すように、マスク本体部２１０の側縁部の上部から延び、図５に示すように、第１貫通穴３１の貫通穴本体部３１１を通ってフェイスシールド１の表側（Ｚ１側）まで延びたのち、図１に示すように、耳１１０に掛かる。つまり、上側ヒモ２２１は、貫通穴本体部３１１を通る際に、フェイスシールド１の裏側から表側に抜けている。
【００２６】
ヒモ２００の下側ヒモ２２２は、図１に示すように、マスク本体部２１０の側縁部の下部から延び、第１貫通穴３１の切込み３１２を通ってフェイスシールド１の表側（Ｚ１側）まで延びたのち、耳１１０に掛かる。つまり、下側ヒモ２２２は、切込み３１２を通る際に、フェイスシールド１の裏側から表側に抜けている。
【００２７】
以上説明した本実施形態による作用効果を以下に説明する。
本実施形態に係るフェイスシールド１は、装着者１００がマスク２００を付けた状態で当該マスク２００のヒモ２２０を介して装着される。フェイスシールド１は、可撓性を有する樹脂板で形成され、湾曲した状態で装着者１００の顔１２０を覆うシールド本体２を備える。シールド本体２の左側及び右側のそれぞれに、マスク２００のヒモ２２０が挿通可能な貫通穴３が設けられる。
【００２８】
従来のフェイスシールドは、前述した特許文献１のように、例えば、面状部材、枠体、第１シール部材、第２シール部材及びカバー部材などの構成部品があるため、構成部品が多くて複雑な構造であるという問題があった。これに対して、本実施形態のフェイスシールド１を構成する部品は、樹脂板で形成されたシールド本体２のみである。従って、本実施形態によれば、構成部品が少なくて簡素な構造であるフェイスシールド１を提供することが可能となる。
【００２９】
シールド本体２の左側の貫通穴３は、左右方向に並んで複数配置され、且つ、シールド本体２の右側の貫通穴３は、左右方向に並んで複数配置される。従って、装着者１００の顔１２０の大きさに応じて、マスク２００のヒモ２２０が挿通可能な貫通穴３を適宜に選択することができる。例えば、顔１２０が小さい子供の場合は、左右中央Ｃに近い貫通穴３を選択し、顔１２０が大きい大人の場合は、左右中央Ｃから遠い貫通穴３を選択することが可能である。
【００３０】
貫通穴３は、フェイスシールド１の装着状態における上下方向に延びる貫通穴本体部３１１、３２１、３３１、３４１と、貫通穴本体部３１１、３２１、３３１、３４１に連通する切込み３１２、３２２、３３２、３４２と、を有する。
【００３１】
マスク２００の上側ヒモ２２１及び下側ヒモ２２２を貫通穴３に通す場合、上側ヒモ２２１を貫通穴本体部３１１、３２１、３３１、３４１に通し、下側ヒモ２２２を切込み３１２、３２２、３３２、３４２に引っ掛けることができる。特に、下側ヒモ２２２を切込み３１２、３２２、３３２、３４２に引っ掛けることにより、フェイスシールド１を安定的にマスク２００に保持することができる。
【００３２】
貫通穴本体部３１１、３２１、３３１、３４１は、上側に向かうに従って先細りして幅が狭くなる。上側ヒモ２２１を貫通穴本体部３１１、３２１、３３１、３４１に通す際に、貫通穴本体部３１１、３２１、３３１、３４１における上部の幅狭の部位に上側ヒモ２２１が位置する。従って、フェイスシールド１の位置ずれが起こりにくい。
【００３３】
切込み３１２は、シールド本体２の左右中央Ｃから遠ざかる方向に延びる第１部位３１３と、第１部位３１３の先端３１３ａから下側に向けて屈曲する第２部位３１４と、を有する。下側ヒモ２２２を切込み３１２、３２２、３３２、３４２に引っ掛ける際に、まず、下側ヒモ２２２を、第１部位３１３に挿入したのち、第２部位３１４に引っ掛けることができる。このように、簡素な形状の切込み３１２によって、下側ヒモ２２２の挿入及び引っ掛けが容易になる。
【符号の説明】
【００３４】
１  フェイスシールド
２  シールド本体
３  貫通穴
１００  装着者
１２０  顔
２００  マスク
２２０  ヒモ
２２１  上側ヒモ
２２２  下側ヒモ
３１１、３２１、３３１、３４１  貫通穴本体部
３１２、３２２、３３２、３４２  切込み
３１３  第１部位
３１３ａ  先端
３１４  第２部位
Ｃ  左右中央
【図１】
0003228110.tif 000003
【図２】
0003228110.tif 000004
【図３】
0003228110.tif 000005
【図４】
0003228110.tif 000006
【図５】
0003228110.tif 000007